(57)【要約】【課題】スプール軸の同芯度が確実に得られるとともに、ハンドル回転操作時にピニオンギアの回転性能を損なうことなくスプール軸をスムーズにガタ付きなく前後方向に精度良く往復動させることができる魚釣用スピニングリールを提供する。【解決手段】魚釣用スピニングリールのスプール軸３ａは、その外周面が、リール本体１に固定される支持筒体６０の内周面によって前後往復動可能に支持される。支持筒体６０は、ピニオンギア８内にその内周面と非接触状態で挿通されて軸方向に延びる。【選択図】  図２
2015181422.tif 000002
【特許請求の範囲】
【請求項１】
リール本体に回転可能に支持されたハンドルの回転操作によって回転駆動されるドライブギアに噛合し、先端にロータが固定されたピニオンギアと、
前端側に釣糸が巻回されるスプールを装着し、前記ピニオンギアに挿通されるスプール軸と、
を有する魚釣用スピニングリールにおいて、
前記スプール軸は、その外周面が、前記リール本体に固定される支持筒体の内周面によって前後往復動可能に支持され、
前記支持筒体は、前記ピニオンギア内にその内周面と非接触状態で挿通されて軸方向に延びることを特徴とする魚釣用スピニングリール。
【請求項２】
前記支持筒体の内周面には、前記スープル軸の外周面と前記支持筒体の内周面との間に隙間を形成する凹部が形成されることを特徴とする請求項１に記載の魚釣用スピニングリール。
【請求項３】
前記支持筒体は、その前端部のみで前記スプール軸を支持することを特徴とする請求項２に記載の魚釣用スピニングリール。
【請求項４】
前記支持筒体の内周面と前記スプール軸の外周面との間にカラー部材が介在されることを特徴とする請求項１ないし請求項３のいずれか１項に記載の魚釣用スピニングリール。
【発明の詳細な説明】
【技術分野】
【０００１】
本発明は、魚釣用スピニングリールに関し、特に、ドライブギアによって回転駆動されるピニオンギアと、釣糸が巻回されるスプールを前後往復動可能に支持するとともに前記ピニオンギアに挿通されるスプール軸との支持構造に特徴を有する魚釣用スピニングリールに関する。
【背景技術】
【０００２】
従来、魚釣用スピニングリールは、ハンドルを回転操作することで回転駆動されるロータと、釣糸が巻回されて前後方向に往復駆動されるスプールとを備えた構成となっている。一般的に知られるように、前記ロータは、ハンドル軸に装着されたドライブギアと噛合してハンドル軸と直交する方向に回転可能に支持されたピニオンギアの前端にロータナットにより固定されることで回転駆動され、また、前記スプールを支持するスプール軸は、前記ピニオンギアに挿通され、ドライブギアにより駆動されるオシレート機構（往復動装置）によって前後方向に往復駆動される。
【０００３】
したがって、前記スプール軸は、ハンドルを回転操作した際、回転駆動されているピニオンギアに挿通された状態で往復駆動されることになる。そのため、スプールに大きな負荷が作用してスプール軸が撓むと、ピニオンギアの内面とスプール軸との接触圧が大きくなり、それにより、スプール軸の摺動抵抗が増大して、ハンドルの回転操作が重くなってしまう。
【０００４】
そこで、例えば、特許文献１には、ピニオンギアの内面に軸方向に沿って凹所を形成し、ピニオンギアの内面とスプール軸の外面との間に隙間を形成することにより、スプール軸の摺動抵抗を低減することが開示されている。
【０００５】
また、特許文献２には、ピニオンギアの前部にロータナットを噛合させ、ロータナットとスプール軸との間に配設される軸受によってスプール軸の前端側を支持するとともに、ピニオンギアの後部に設けられる軸受によりスプール軸の後端側を支持することにより、ピニオンギアの内周とスプール軸の外周とを非接触状態にする構成が開示されている。
【０００６】
また、特許文献３では、ピニオンギアの後端内周面を支持するガタ付き防止用のブッシュによってスプール軸を支持するようにしている。
【先行技術文献】
【特許文献】
【０００７】
【特許文献１】特開２００１−２５８４３８号
【特許文献２】特開２００６−３３３７０５号
【特許文献３】実開昭５９−１７０４６６号
【発明の概要】
【発明が解決しようとする課題】
【０００８】
しかしながら、特許文献１および特許文献２はいずれも、スプール軸を支持している２つの支持点間の距離が短い（特許文献１では、ピニオンギアの軸方向長さの範囲内での２点支持、また、特許文献２では、ピニオンギアの両端面近傍部同士の２点支持）ため、ピニオンギアの内周面とスプール軸の外周面との僅かな隙間によって、スプール軸がラジアル方向にガタ付き易いという問題がある。
【０００９】
また、特許文献２に開示されているように、ピニオンギアに螺合したロータナットとスプール軸との間に軸受を配設すると、ピニオンギアに対するロータナットの同芯度が出難く（したがって、ピニオンギアに対するスプール軸の同芯度が出難く）、そのため、ピニオンギアが回転すると、ロータナットの組み付け偏心によってスプール軸が振り回される可能性がある。さらに、スプール軸の位置決めにしたがってオシレート機構の摺動体の位置が決まるため、上記のように、スプール軸がガタ付いたり振り回されると、スプール軸（スプール）を精度良く前後動させることができない可能性がある。
【００１０】
また、特許文献３に開示される構成では、ブッシュの内外周面によりスプール軸およびピニオンギアの両方を支持するため、ブッシュがピニオンギアの回転抵抗を増大させ、ピニオンギアのスムーズな回転が損なわれる虞がある。
【００１１】
本発明は、上記した問題に着目してなされたものであり、スプール軸の同芯度が確実に得られるとともに、ハンドル回転操作時にピニオンギアの回転性能を損なうことなくスプール軸をスムーズにガタ付きなく前後方向に精度良く往復動させることができる魚釣用スピニングリールを提供することを目的とする。
【課題を解決するための手段】
【００１２】
上記した目的を達成するために、本発明は、リール本体に回転可能に支持されたハンドルの回転操作によって回転駆動されるドライブギアに噛合し、先端にロータが固定されたピニオンギアと、前端側に釣糸が巻回されるスプールを装着し、前記ピニオンギアに挿通されるスプール軸とを有する魚釣用スピニングリールにおいて、前記スプール軸は、その外周面が、前記リール本体に固定される支持筒体の内周面によって前後往復動可能に支持され、前記支持筒体は、前記ピニオンギア内にその内周面と非接触状態で挿通されて軸方向に延びることを特徴とする。
【００１３】
上記した構成の魚釣用スピニングリールによれば、前後往復動するスプール軸は、その外周面が、回転駆動するピニオンギアの内周面と接触することなく、支持筒体の内周面により支持されるため、スプール軸が前後往復動した際の抵抗は、回転駆動されるピニオンギアと接触する場合と比べて軽く、ハンドルの回転操作も軽い。また、接触面の焼き付き、摩耗も生じ難い。
【００１４】
また、上記した構成の魚釣用スピニングリールによれば、スプール軸は、点支持ではなく、支持筒体によってその長手方向にわたって支持されるため、支持筒体による支持長さを効果的に確保することによりスプール軸のガタ付きを回避できる。
【００１５】
また、上記した構成の魚釣用スピニングリールによれば、スプール軸は、その外周面が、リール本体に固定される支持筒体の内周面により支持されるため、リール本体に対するスプール軸の同芯度を確実に得ることができる（例えば、ロータをピニオンギアの前端に固定するためのロータナットとの間に介在される軸受により支持される構造ではないため、ピニオンギアに対するロータナットの芯ずれによる影響を受けることもない）。したがって、ピニオンギアに挿通されるスプール軸は安定して精度良く前後方向に摺動することが可能となる。
【００１６】
また、上記した構成の魚釣用スピニングリールによれば、支持筒体は、ピニオンギアと非接触状態で維持されるため、ハンドル回転操作時にピニオンギアの回転性能を損なわずに済む。
【発明の効果】
【００１７】
本発明によれば、スプール軸の同芯度が確実に得られるとともに、ハンドル回転操作時にピニオンギアの回転性能を損なうことなくスプール軸をスムーズにガタ付きなく前後方向に精度良く往復動させることができる魚釣用スピニングリールが得られる。
【図面の簡単な説明】
【００１８】
【図１】本発明の一実施形態に係る魚釣用スピニングリールの一部断面を有する側面図である。
【図２】図１の要部拡大図である。
【図３】図１の支持筒体の固定形態の第１の変形例に係る要部拡大図である。
【図４】図１の支持筒体の固定形態の第２の変形例に係る要部拡大図である。
【図５】図１の支持筒体の固定形態の第３の変形例に係る要部拡大図である。
【図６】図１の支持筒体の固定形態の第４の変形例に係る要部拡大図である。
【図７】（ａ）は図１の支持筒体のスプール軸支持形態の変形例に係る要部拡大図、（ｂ）は（ａ）のＡ−Ａ線に沿う断面図である。
【図８】図１の支持筒体の固定形態の第５の変形例に係る要部拡大図である。
【発明を実施するための形態】
【００１９】
以下、本発明に係る魚釣用スピニングリールの一実施形態について図面を参照しながら具体的に説明する。
【００２０】
魚釣用スピニングリールのリール本体１には、釣竿に装着されるリール脚１ａが一体形成されており、その前方には回転可能に支持されたロータ２と、ロータ２の回転運動と同期して前後動可能に支持されたスプール３が配設されている。
【００２１】
リール本体１内には、ハンドル軸５ａが回転可能に支持されており、その突出端部には、ハンドル５が取り付けられている。また、ハンドル軸５ａには、巻取り駆動機構が係合しており、この巻取り駆動機構は、ハンドル軸５ａに取り付けられ、内歯が形成されたドライブギア（駆動歯車）７と、このドライブギア７に噛合すると共にハンドル軸５ａと直交する方向に延出し、内部に軸方向に延出する空洞部８ａが形成されたピニオンギア８とを備えている。なお、ピニオンギア８は、その後端側に歯部８ｂが形成されており、この歯部８ｂがドライブギア７と噛合される。
【００２２】
ピニオンギア８の前方側には雄螺子部８ｃが形成されており、ロータ２の中心孔をピニオンギア８の前端部に嵌合し、この部分で雄螺子部８ｃにロータナット９を締め付けることによりロータ２がピニオンギア８に対して固定される。この場合、ロータ２は、非円形断面の嵌合部２ｂでピニオンギア８の外周面（非円形）８ｃに回り止め嵌合される。
【００２３】
本実施形態のピニオンギア８は、その歯部８ｂとドライブギア７との噛合部位の前方（スプール側）の２箇所で軸受１０ａ，１０ｂを介してリール本体１に回転可能に支持されるとともに、その後端部が軸受１０ｄを介してリール本体１に回転可能に支持されている。また、ピニオンギア８の空洞部８ａには、ハンドル軸５ａと直交する方向に延出し、前端側にスプール３を装着したスプール軸３ａが軸方向に移動可能に挿通されている。この場合、ピニオンギア８の中間領域の外周には、公知の一方向クラッチ１１が配設されており、リール本体１の後方に回動可能に支持された切換レバー１１ａを切換操作することで、ピニオンギア（ロータ）の回転状態を切り換え可能にしている（両方向の回転状態／釣糸巻き取り方向のみの回転状態を切り換える）。なお、前方側の軸受１０ａは、ピニオンギア８に対して回り止めされる一方向クラッチ１１の内輪１１ｂとリール本体１との間に介挿され、後方側の軸受１０ｂは、ピニオンギア８の歯部８ｂとドライブギア７との噛合部位の近傍にワッシャ１０ｃを介して設置される。
【００２４】
ピニオンギア８には、スプール３（スプール軸３ａ）を前後往復動させるための往復動装置（オシレート機構）１２が係合している。
本実施形態の往復動装置１２は、リール本体１内に回転可能に支持され、スプール軸３ａと平行に延在する螺軸（ウォームシャフト）１３と、スプール軸３ａの後端部に固定される摺動体（オシレーティングスライダ）１５とを備えている。螺軸１３の前端部には、ピニオンギア８と噛合するオシレートギア１６が設けられており、螺軸１３は、ハンドル５を回転操作することにより、ドライブギア７、ピニオンギア８、および、オシレートギア１６を介して回転駆動されるようになっている。
【００２５】
螺軸１３の外周面には、軸方向に沿って螺旋状のカム溝１３ａが形成されており、このカム溝１３ａに、摺動体１５に収容保持された係合ピン１８の係合爪（図示せず）が係合されている。
【００２６】
摺動体１５は、円筒状の収容孔を有する本体１５Ａを備えており、この本体１５Ａがスプール軸３ａの後端部に取り付けられて、スプール軸３ａの後端が支持された状態となっている。この場合、スプール軸３ａの後端部分には、断面が非円形でハンドル軸の軸方向と直交する平坦面が形成されており、この平坦面に対して、抜け止め部材（プレート）２０が当て付けられて、ハンドル軸方向から止めネジ２１が螺入されることで、スプール軸３ａは摺動体１５に対して回り止め固定されている。
【００２７】
摺動体１５の本体１５Ａの円筒状の前記収容孔内には、円柱状に構成された係合ピン１８が収容保持されており、その一端側（先端部）には、螺軸１３のカム溝１３ａに係合される前記係合爪が形成されている。また、係合ピンの他端側は抜け止め部材２０に当て付いて抜け止め保持されている。なお、摺動体１５（本体１５Ａ）は、螺軸１３と平行に延びるガイド２３により回り止めされつつ前後方向に移動可能に案内支持されている。
【００２８】
図２に明確に示されるように、スプール軸３ａは、その外周面が、リール本体１に固定される支持筒体６０の内周面によって前後往復動可能に支持されている。この場合、支持筒体６０は、ピニオンギア８内にその内周面と非接触状態で（ピニオンギア８の内周面との間に所定の隙間ｓを隔てて）挿通されて軸方向に延びている。具体的に、支持筒体６０は、その基端部６０ａが軸受１０ｄを支持するリール本体１の支持部１ａの通孔６３に挿通されるとともに、基端部６０ａから径方向に延びるそのフランジ部６０ｂがピニオンギア８の基端側で通孔６３を形成する支持部１ａの端壁６５に当て付けられた状態で圧入、接着等の手段によりリール本体１に対して固定される。また、支持筒体６０は、スプール軸３ａが支障なく前後往復動できる程度にその内径がスプール軸３ａの外径と略同一に設定されており、リール本体１の支持部１ａの端壁６５からピニオンギア８の前端部近傍に至るまで軸方向に延びている。
【００２９】
このように、本実施形態の魚釣用スピニングリールによれば、前後往復動するスプール軸３ａは、その外周面が、回転駆動するピニオンギア８の内周面と接触することなく、支持筒体６０の内周面により支持されるため、スプール軸３ａが前後往復動した際の抵抗は、回転駆動されるピニオンギア８と接触する場合と比べて軽く、ハンドルの回転操作も軽い。また、接触面の焼き付き、摩耗も生じ難い。
【００３０】
また、本実施形態の魚釣用スピニングリールによれば、スプール軸３ａは、点支持ではなく、支持筒体６０によってその長手方向にわたって支持されるため、支持筒体６０による支持長さを本実施形態のように効果的に確保することによりスプール軸３ａのガタ付きを回避できる。
【００３１】
また、本実施形態の魚釣用スピニングリールによれば、スプール軸３ａは、その外周面が、リール本体１に固定される支持筒体６０の内周面により支持されるため、リール本体１に対するスプール軸３ａの同芯度を確実に得ることができる（例えば、ロータをピニオンギアの前端に固定するためのロータナットとの間に介在される軸受により支持される構造ではないため、ピニオンギアに対するロータナットの芯ずれによる影響を受けることもない）。したがって、ピニオンギア８に挿通されるスプール軸３ａは安定して精度良く前後方向に摺動することが可能となる。
【００３２】
また、本実施形態の魚釣用スピニングリールによれば、支持筒体６０は、ピニオンギア８と非接触状態で維持されるため、ハンドル回転操作時にピニオンギア８の回転性能を損なわずに済む。
【００３３】
なお、リール本体１に対する支持筒体６０の固定形態は、前述した挟持形態に限定されない。以下、様々な固定形態について説明する。
図３は、支持筒体の固定形態の第１の変形例を示している。図示のように、この変形例では、支持筒体６０のフランジ部６０ｂが、ピニオンギア８の基端側で支持部１ａの端壁６５に当て付けられた状態で圧入、接着等の手段により固定されることなく（フランジ部６０ｂの厚みが図２の場合よりも薄い）、ネジ６９により端壁６５に固定される。それ以外の構成は図２と同一である。
【００３４】
図４は、支持筒体の固定形態の第２の変形例を示している。図示のように、この変形例では、支持部１ａの通孔６３から後方に突出する支持筒体６０の基端部６０ａの外周面に雄ネジ９０が形成され、この雄ネジ９０にナット７０が螺合されることにより、支持筒体６０がリール本体１に対して固定される。それ以外の構成は図２と同一である。
【００３５】
図５は、支持筒体の固定形態の第３の変形例を示している。図示のように、この変形例では、支持部１ａの通孔６３に挿通される支持筒体６０の基端部６０ａの外周面に雄ネジ９０が形成され、この雄ネジ９０が通孔６３の内周面に形成された雌ネジ９１に螺合されることにより、支持筒体６０がリール本体１に対して固定される。それ以外の構成は図２と同一である。
【００３６】
図６は、支持筒体の固定形態の第４の変形例を示している。図示のように、この変形例では、支持筒体６０がリール本体１の支持部１ａと一体形成されており、また、支持筒体６０の内周面とスプール軸３ａの外周面との間に摩擦係数の少ないカラー部材９５（例えば合成樹脂材）が介在されている。なお、カラー部材９５の後端部は、支持部１ａの通孔６３に挿通されるとともに、通孔６３から後方に突出するその径方向フランジ９５ａが端壁６５の後端面に突き当てられている。
支持筒体６０の内周面に対してカラー部材９５は、圧入、接着、溶着、他の方法で適宜固定される。
【００３７】
図７は、支持筒体６０のスプール軸支持形態の変形例を示している。この変形例においても、リール本体１に対する支持筒体６０の固定形態は図２と同じであるが、スプール軸３ａの外周面を支持する支持筒体６０の内周面の支持形態が図２および図７の場合と異なる。すなわち、この変形例において、支持筒体６０の内周面には、スープル軸３ａの外周面と支持筒体６０の内周面との間に隙間ｓ１を形成する凹部９９が支持筒体６０の軸方向に沿って形成されている。特に、本実施形態では、図７の（ｂ）に明確に示されるように、３つの凹部９８が周方向に沿って一定の角度間隔を隔てて設けられる。このような凹部９８を設けても、支持筒体６０の内周面とスプール軸３ａの外周面との接触面積が減少するため、スプール軸３ａの摺動抵抗を低く抑えることができる。
【００３８】
図８は、支持筒体６０の固定形態の第５の変形例を示している。図示のように、この変形例において、支持筒体６０は、支持部１ａの通孔６３を貫通して後方へ突出するその基端にフランジ部６０ｂを有しており、このフランジ部６０ｂがリール本体１の支持部１ａの端壁６５の後端面に形成される凹陥部６９内に係合されることにより、支持筒体６０がリール本体１に対して固定される。それ以外の構成は図２と同一である。
【００３９】
以上、本発明の実施形態について説明したが、本発明は、上記した実施形態に限定されることはなく、種々変形することが可能である。例えば、上記した実施形態では、支持筒体がピニオンギアの後端から前端側へと軸方向に延びているが、ピニオンギアの後端から後方側へと更に延びていても構わない。また、ピニオンギアの長さは任意に設定できる。
【符号の説明】
【００４０】
１  リール本体
２  ロータ
３  スプール
３ａ  スプール軸
７  ドライブギア
８  ピニオンギア
６０  支持筒体
９５  カラー部材
９８，９９  凹部
【図１】
2015181422.tif 000003
【図２】
2015181422.tif 000004
【図３】
2015181422.tif 000005
【図４】
2015181422.tif 000006
【図５】
2015181422.tif 000007
【図６】
2015181422.tif 000008
【図７】
2015181422.tif 000009
【図８】
2015181422.tif 000010